(57)【特許請求の範囲】
【請求項１】
赤外線で音声信号を伝送する赤外線音声伝送装置であって、
内部で生成した音声信号により変調された副搬送波で赤外線を輝度変調して送信する第１の送信手段と、
他の赤外線音声伝送装置で生成された音声信号により変調された副搬送波を電気的に受信し、前記受信した副搬送波で赤外線を輝度変調して送信する第２の送信手段と、
前記内部で生成した変調済みの副搬送波と、前記他の赤外線音声伝送装置から送信される変調済みの副搬送波のいずれを有効にするかを、自身の装着状態にしたがい切替える切替え手段と、
を有することを特徴とする赤外線音声伝送装置。
【請求項２】
前記第２の送信手段は、
前記他の赤外線音声伝送装置から出力される変調済みの副搬送波を赤外線で受信することを特徴とする請求項１記載の赤外線音声伝送装置。
【請求項３】
内部で生成される副搬送波を映像信号で変調して赤外線で送信する第３の送信手段と、
を有することを特徴とする請求項１記載の赤外線音声伝送装置。
【請求項４】
赤外線で音声信号を伝送する、第１と第２の赤外線音声伝送装置からなる赤外線音声伝送システムであって、
前記第１と第２の赤外線音声伝送装置は、
内部で生成した音声信号により変調された副搬送波で赤外線を輝度変調して送信する第１の送信手段と、他の赤外線音声伝送装置で生成された音声信号により変調された副搬送波を電気的に受信し、前記受信した副搬送波で赤外線を輝度変調して送信する第２の送信手段と、前記内部で生成した変調済みの副搬送波と、前記他の赤外線音声伝送装置から送信される変調済みの副搬送波のいずれを有効にするかを自身の装着状態にしたがい切替える切替え手段と、を備え、
前記第１の赤外線音声伝送装置を単独で使用する場合、
前記切替え手段により有効とされる前記第１の送信手段により内部で生成される音声信号により変調された副搬送波で赤外線を輝度変調して送信し、
前記第１と第２の赤外線音声伝送装置を組み合わせて使用する場合、
前記切替え手段により有効とされる前記第１の赤外線音声伝送装置は、前記切替え手段により前記第１の送信手段を有効とし、内部で生成した音声信号により変調された副搬送波で赤外線を輝度変調して送信するとともに、前記第２の赤外線音声伝送装置に対し前記音声信号で変調された副搬送波を電気的に送信し、前記切替え手段により有効とされる前記第２の赤外線音声伝送装置は、前記電気的に伝送された副搬送波を受信し、前記受信した副搬送波で赤外線を輝度変調して送信することを特徴とする赤外線音声伝送システム。
【発明の詳細な説明】
【技術分野】
【０００１】
この発明は、赤外線で音声信号を伝送する、特に、車両用リアエンターテイメントシステムに用いて好適な、赤外線音声伝送装置およびシステムに関するものである。
【背景技術】
【０００２】
映像と音声により、車両の後部座席に着座した搭乗者に快適なＡＶ空間を提供するリアエンターテイメントシステム（以下、単に、ＲＥＳ：Rear Seat Entertainment Systemという）が知られている。
上記したＲＥＳによれば、２列目、３列目の後部座席専用に配置されたリアモニタ（以下、単に、モニタという）により、ナビゲーション画面の表示は勿論のこと、テレビ、ＤＶＤ（Digital Versatile Disc）、ＣＤ（Compact Disc）等の様々なソースを、フロントに配置されたコンソールモニタとは独立して再生が可能である。
【０００３】
上記したように、車両に複数のモニタを装着するＲＥＳにおいて、各モニタは、独立したソースを再生することから、他の音声を排除するためにヘッドホンを用いて聴くのが一般的であり、また、ヘッドホンに対する音声信号の伝送は、各モニタから赤外線（以下、単にＩＲ：Infraredという）を用いた無線手段によって伝送される。
【０００４】
ところで、上記したＩＲの到達範囲を拡大するために、複数の発光部から同相の副搬送波で輝度変調されたＩＲを送信する場合、一方のモニタで副搬送波を生成してＩＲを輝度変調して送信し、同時に、この変調された副搬送波を電気信号として他に設けた発光部に伝送してＩＲを輝度変調して送信するか、あるいは、この発光部を他方のモニタ内に組み込み、このモニタから送信する方法が一般的であった（例えば、特許文献１参照）。
【０００５】
【特許文献１】特開２００３−１６３９８７号公報
【発明の開示】
【発明が解決しようとする課題】
【０００６】
しかしながら上記した従来の方法によれば、副搬送波を生成してＩＲを送信するモニタと、他方の発光部、もしくはそれを組み込んだモニタが別体になるため、モニタの品種の増加、あるいはモニタを増設する毎に製品仕様を吟味する必要があり、また、車両への誤装着の機会が増え、製品管理の面で不利な状況を招いていた。
【０００７】
この発明は上記した課題を解決するためになされたものであり、モニタの品種の増加や増設時の製品仕様の吟味を不要とし、車両への誤装着の頻度を減少させることのできる、赤外線音声伝送装置およびシステムを提供することを目的とする。
【課題を解決するための手段】
【０００８】
上記した課題を解決するためにこの発明の赤外線音声伝送装置は、内部で生成した音声信号により変調された副搬送波で赤外線を輝度変調して送信する第１の送信手段と、他の赤外線音声伝送装置で生成された音声信号により変調された副搬送波を電気的に受信し、前記受信した副搬送波で赤外線を輝度変調して送信する第２の送信手段と、前記内部で生成した変調済みの副搬送波と、前記他の赤外線音声伝送装置から送信される変調済みの副搬送波のいずれを有効にするかを、自身の装着状態にしたがい切替える切替え手段と、を有するものである。
【０００９】
また、この発明の赤外線音声伝送システムにおける第１と第２の赤外線音声伝送装置は、内部で生成した音声信号により変調された副搬送波で赤外線を輝度変調して送信する第１の送信手段と、他の赤外線音声伝送装置で生成された音声信号により変調された副搬送波を電気的に受信し、前記受信した副搬送波で赤外線を輝度変調して送信する第２の送信手段と、前記内部で生成した変調済みの副搬送波と、前記他の赤外線音声伝送装置から送信される変調済みの副搬送波のいずれを有効にするかを自身の装着状態にしたがい切替える切替え手段と、を備え、前記第１の赤外線音声伝送装置を単独で使用する場合、前記切替え手段により有効とされる前記第１の送信手段により内部で生成される音声信号により変調された副搬送波で赤外線を輝度変調して送信し、前記第１と第２の赤外線音声伝送装置を組み合わせて使用する場合、前記切替え手段により有効とされる前記第１の赤外線音声伝送装置は、前記切替え手段により前記第１の送信手段を有効とし、内部で生成した音声信号により変調された副搬送波で赤外線を輝度変調して送信するとともに、前記第２の赤外線音声伝送装置に対し前記音声信号で変調された副搬送波を電気的に伝送し、前記切替え手段により有効とされる前記第２の赤外線音声伝送装置は、前記電気的に伝送された副搬送波を受信し、前記受信した副搬送波で赤外線を輝度変調して送信するものである。
【発明の効果】
【００１０】
この発明によれば、モニタの品種の増加や増設時の製品仕様の吟味を不要とし、車両への誤装着の頻度を減少させることのできる、赤外線音声伝送装置およびシステムを提供することができる。
【発明を実施するための最良の形態】
【００１１】
実施の形態１．
図１は、この発明の実施の形態１に係る赤外線音声伝送システムのシステム構成を示すブロック図である。
ここでは、赤外線音声伝送システムとして、２個のモニタ（モニタＡ（１）、モニタＢ（２））を含むＲＥＳが例示されている。
【００１２】
ＲＥＳとは、上記したように、車両の後部座席に搭乗者が乗車中、接続された映像音響機器もしくは外部入力端子を介して入力された、映画、音楽、ゲーム等のコンテンツを楽しむことが出来る映像音響機器であり、図１に示されるように、例えば、映像を表示するモニタＡ（１）と、モニタＢ（２）と、ヘッドホンＡ（３）と、ヘッドホンＢ（４）と、例えば、ナビゲーションを行なうヘッドユニット５、ＤＶＤプレーヤ６、外部入力端子７、衛星ラジオ８等の入力ソースと、リモコンＡ（９）と、リモコンＢ（１０）と、により構成される。
【００１３】
なお、上記したモニタＡ（１）、モニタＢ（２）、および各種入力ソース５〜８が共通に接続される、図中、破線で示されるＣＡＮ（Control Area Network）バスは、ＩＳＯで国際的に標準化された車両シリアル通信プロトコルにしたがい通信が行なわれる通信ラインである。
また、図１中、実線Ａは音声信号を、点線Ｂは映像信号を、一点鎖線Ｃはチャンネル１の赤外線（以下、CH1 IR信号という）を、二点鎖線Ｄはチャンネル２の赤外線（以下、CH2 IR信号という）を、太点線ＥはＣＡＮバスを伝播する信号を、太実線Ｆは、ＥＣＵ（電子制御ユニット）バスを伝播する信号を示す（但し、太実線Ｆは、図１には示されず、後述する図２−１以降に示されている）。
【００１４】
モニタＡ（１）およびモニタＢ（２）は、音声信号でＦＭ（Frequency Modulation）変調された副搬送波により輝度変調されたＩＲを送信するために駆動されるＬＥＤ（Light Emitted Diode）を含み、また、ヘッドホンＡ（３）およびヘッドホンＢ（４）は、このＩＲを受光して音声信号に復調するＩＲ復調回路を含む。ＬＥＤおよびＩＲ復調回路については図２−１以降を使用して後述する。
なお、上記したモニタＡ（１）と、ヘッドホンＡ（３）と、リモコンＡ（９）とは、２列目シートに着座した搭乗者によって使用され、モニタＢ（２）と、ヘッドホンＢ（４）と、リモコンＢ（１０）とは、３列目シートに着座した搭乗者によって使用されるものとする。
【００１５】
ここで、モニタＡ（１）、モニタＢ（２）から送信されるチャンネル毎赤外線信号であるCH1 IRとCH2 IRは、副搬送波の周波数が異なっており、このため、２列目シート搭乗者用のヘッドホンＡ（３）と、３列目シート搭乗者用のヘッドホンＢ（４）は、受信するＩＲのチャンネルを選択するスイッチを有しており、これを切替ることにより、CH1 IRとCH2 IRのいずれも受信することができる。
なお、CH1 IR、CH2 IRともに、それぞれの左チャンネルと右チャンネルの信号を合成した信号であり、実際には、それぞれが、左用、右用の２種類の副搬送波の周波数から構成されている。ここでは、説明の便宜上、以降の説明において、左右両チャンネル信号を含め、それぞれCH1 IR、CH2 IRと表記する。
【００１６】
ところで、２列目シートに着座した搭乗者は、リモコンＡ（９）を操作することにより、入力ソース５〜８から任意のソースを選択し、モニタＡ（１）およびヘッドホンＡ（３）によりその映像ならびに音声を視聴することができる。また、ヘッドホンＡ（３）をCH2 IR 側に切替ることにより、モニタＢ（２）で選択されている入力ソースの音声を聴くこともできる。同様に、３列目シートに着座した搭乗者は、リモコンＢ（１０）を操作することにより、入力ソース５〜８から任意の入力ソースを選択し、モニタＢ（２）およびヘッドホンＢ（４）によりその映像ならびに音声を視聴することができる。また、ヘッドホンＢ（４）をCH1 IR側に切替ることにより、モニタＡ（１）で選択されている入力ソースの音声を聴くこともできる。
【００１７】
また、モニタＡ（１）は、ヘッドユニット５に対し、ＣＡＮバス等の通信ラインによりシステムから要求された入力ソースの映像、ならびに音声信号を選択して出力し、モニタＢ（２）に対しては要求された入力ソースの映像信号を出力し、その音声信号をCH2 IRとして送信する。また、衛星ラジオ８からの入力は、モニタＢ（２）を経由してモニタＡ（１）の入力ソースとして伝送される。
なお、モニタＡ（１）のCH1 IR、CH2 IRの副搬送波は、モニタＢ（２）のＬＥＤ駆動回路にも供給され、CH1 IR、CH2 IRはともに、モニタＡ（１）、モニタＢ（２）の双方から出力される。
【００１８】
図１に示す赤外線音声伝送システムは、上記したように、ＩＲで音声信号を伝送する、第１の赤外線音声伝送装置（モニタＡ）と、第２の赤外線音声伝送装置（モニタＢ）とを含む。この構成において、モニタＡ（１）を単独で使用する場合、モニタＡ（１）は、内部で生成される音声信号により変調された副搬送波でＩＲを輝度変調して送信し、モニタＡ（１）とモニタＢ（２）を組み合わせて使用する場合、モニタＡ（１）は、内部で生成される音声信号により変調された副搬送波でＩＲを輝度変調して送信するとともに、モニタＢ（２）に対しその副搬送波を電気的に送信し、モニタＢ（２）は、電気的に送信された副搬送波を受信し、この受信した副搬送波でＩＲを輝度変調して送信する。
なお、モニタが単独で使用されているか、組み合わせて使用されているかの判定、およびこの判定結果に基づく上記の使い分けは、後述するＥＣＵ（電子制御ユニット）から到来するモニタの装着状況を示す情報に基づく。詳細は後述する。
【００１９】
このため、運転席と助手席のシート列（１列目）以外に、搭乗者用に、例えば、２列のシートを持つ車両において、２列目、３列目のシートに着座した搭乗者に対応して２台のモニタ（モニタＡとモニタＢ）が装着される場合、２列目のモニタ（モニタＡ）で生成される音声信号で変調された副搬送波でＩＲを輝度変調して送信し、同時にこの変調された副搬送波を電気信号として３列目のモニタ（モニタＢ）へ転送し、３列目のモニタからもこの信号を輝度変調してＩＲとして送信することにより、モニタＡ（１）とモニタＢ（２）の両モニタから同相のＩＲ信号が送信され、このことにより、各ＩＲ信号が相互に干渉することなく、それぞれの座席の搭乗者に十分な強度のＩＲを伝送することができ、搭乗者は良好な品質で音声を聴取することができる。
また、車両の２列目、３列目に、同一構成のモニタを使用して使い分けることにより、製品の品種増加や車両への誤装着を防ぐことができ、更に、当初モニタを１台だけ装着しておき、後日追加で１台拡張して装着するような場合にも製品の仕様を吟味する必要なく、同一製品を買い増して装着するだけで、特段の配慮を要することなく使用することのできる赤外線音声伝送システムを提供することができる。
【００２０】
図２−１、図２−２は、この発明の実施の形態１に係る赤外線音声伝送装置の内部構成を示すブロック図であり、図２−１は、図１に示すモニタＡ（１）、図２−２は、図１に示すモニタＢ（２）のそれぞれの内部構成を示すブロック図である。
図２−１に示す符号１は、図１同様、２列目シートに搭乗した搭乗者によって使用されるモニタＡであり、図２−２で示す符号２は、３列目シートに搭乗した搭乗者によって使用されるモニタＢである。特徴的には、両者は全く同一の内部構成を有する。但し、ここでは、説明の便宜上、モニタＡ（１）内の各構成要素にはサフックス“ａ”を、モニタＢ（２）内の各構成要素にはサフィックス“ｂ”を付して区別して示している。
【００２１】
図２−１、図２−２において、符号１１ａ、１１ｂは、ヘッドユニット５、ＤＶＤプレーヤ６、外部入力端子７等の映像信号入力ソースを選択し、映像表示回路１７ａ、１７ｂを介してそれぞれのＬＣＤ（Liquid Crystal Display Device）１８ａ、１８ｂに表示する映像ソース選択回路である。また、符号１２ａ、１２ｂは、上記した映像信号入力ソースを選択して他方のモニタが内蔵するそれぞれのＬＣＤ１８ｂ、１８ａに表示する映像ソース選択回路である。また、符号１３ａ、１３ｂは、上記した映像信号入力ソースを選択し、ヘッドユニット５のＬＣＤ（不図示）に表示させるための映像ソース選択回路である。
【００２２】
符号１４ａ、１４ｂは、ヘッドユニット５、ＤＶＤプレーヤ６、外部入力端子７、衛星ラジオ８等の音声入力ソースを選択し、CH1 IR用の音声信号としてCH1変調回路２１ａ、２１ｂに出力する音声入力ソース選択回路である。また、符号１５ａ、１５ｂは、上記した音声入力ソースを選択し、CH2 IR用の音声信号としてCH2変調回路２５ａ、２５ｂに出力する音声入力ソース選択回路である。また、符号１６ａ、１６ｂは、上記した音声入力ソースを選択してヘッドユニット５へ出力する音声入力ソース選択回路である。
【００２３】
符号１７ａ、１７ｂは、それぞれモニタＡ（１）、モニタＢ（２）が内蔵するＬＣＤ１８ａ、１８ｂに映像を表示する映像表示回路であり、また、符号１８ａ、１８ｂは、それぞれ、モニタＡ（１）、モニタＢ（２）内蔵のＬＣＤである。
【００２４】
符号２１ａ、２１ｂは、CH1 IR用の副搬送波を生成し、音声信号でＦＭ変調するCH1変調回路であり、符号２３ａ、２３ｂは、CH1 IRを送信するために発光するCH1 IR ＬＥＤ２４ａ、２４ｂのそれぞれを駆動するCH1 IR ＬＥＤ駆動回路である。
また、符号２５ａ、２５ｂは、CH2 IR用の副搬送波を生成し、音声信号でＦＭ変調するCH2変調回路であり、符号２７ａ、２７ｂは、CH2 IRを送信するために発光するCH2 IR ＬＥＤ２８ａ、２８ｂのそれぞれを駆動するCH2 IR ＬＥＤ駆動回路である。
【００２５】
符号３９ａ、３９ｂは、CH1 IR ＬＥＤ駆動回路２３ａ、２３ｂのそれぞれに対して、CH1変調回路２１ａ、２１ｂで生成された変調済みの副搬送波を出力するか、あるいは、他のモニタで生成された変調済みの副搬送波を出力するかを切替えるCH1音声切替え回路である。また、符号４０ａ、４０ｂは、CH2 IR ＬＥＤ駆動回路２７ａ、２７ｂに対して、CH2変調回路２５ａ、２５ｂで生成された変調済みの副搬送波を出力するか、あるいは他のモニタで生成された変調済みの副搬送波を出力するかを切替えるCH2音声切替え回路である。
【００２６】
なお、符号４１ａ、４１ｂは、CH1音声切替え回路３９ａ、３９ｂの出力を他のモニタへ出力するCH1出力バッファ回路、符号４２ａ、４２ｂは、CH2音声切換回路４０ａ、４０ｂの出力を他のモニタへ出力するCH2出力バッファ回路である。
【００２７】
符号４５ａ、４５ｂは、各モニタが２列目、あるいは３列目のいずれに装着されているかを判別するために設けられた装着位置検知端子である。
例えば、モニタＡ（１）において、装着位置検知端子４５ａはＯＰＥＮ状態になっており、この場合、ＥＣＵ４４ａは、モニタＡ（１）が２列目に装着されているものと認識する仕様になっている。ＥＣＵ４４ａは、CH1音声切換回路３９ａに対し、CH1変調回路２１ａを選択するよう指示し、CH1変調回路２１ａの出力がCH1 IR駆動回路２３ａによりCH1 IR ＬＥＤ２４ａを駆動することによってモニタＡ（１）からCH1 IRが送信される。
【００２８】
また、CH1音声切換回路３９ａの出力は、CH1出力バッファ回路４１ａを経由して有線でモニタＢ（２）内のCH1音声切換回路３９ｂへも伝播される。一方、モニタＢ（２）において、装着位置検知端子４５ｂは接地されており、この場合、ＥＣＵ４４ｂは、モニタＢ（２）が３列目に装着されているものと認識する仕様になっている。
【００２９】
符号４７ａ、４７ｂは、リモコンＡ（９）、リモコンＢ（１０）から信号を受信し、ＥＣＵ４４ａ、４４ｂのそれぞれに搭乗者の指示として伝達するリモコン受信回路、符号４３ａ、４３ｂは、ＣＡＮ通信を行なうトランシーバである。
また、符号４４ａ、４４ｂは、上記したＥＣＵであり、映像ソース選択回路１１ａ、１１ｂ、１２ａ、１２ｂ、１３ａ、１３ｂ、ならびに音声入力ソース選択回路１４ａ、１４ｂ、１５ａ、１５ｂ、１６ａ、１６ｂの切替え制御の他に、モニタＡ（１）、モニタＢ（２）の動作を制御する。例えば、モニタＢ（２）において、ＥＣＵ４４ｂは、CH1音声切換回路３９ｂに対してモニタＡ（１）のCH1出力バッファ４１ａからの信号を選択するように指示し、この出力が、CH1 IR駆動回路２３ｂによりCH1 IR ＬＥＤ２４ｂを駆動することによってモニタＢ（２）からCH1 IRが送信される。
【００３０】
同様に、モニタＡ（１）において、ＥＣＵ４４ａの制御の下でCH2音声切換回路４０ａはCH2変調回路２５ａを選択しており、このため、CH2変調回路２５ａの出力がCH2 IR ＬＥＤ駆動回路２７ａを介してCH2 IR ＬＥＤ２８ａを駆動することによってモニタＡ（１）からCH2 IRが送信される。
【００３１】
このとき、CH2音声切換回路４０ａの出力は、CH2バッファ回路４２ａを経由してモニタＢ（２）内のCH2音声切換回路４０ｂへも送られる。CH2音声切換回路４０ｂは、この信号を選択するように切替えられており、この出力がCH2 IR ＬＥＤ駆動回路２７ｂを介してCH2 IR ＬＥＤ２８ｂを駆動することによってモニタＢ（２）からCH2 IRが送信される。
なお、モニタＢ（２）のＥＣＵ４４ｂは、このとき同時にモニタＢ（２）が３列目に装着されているとの認識のもとで、モニタＢ（２）のＬＣＤ１８ｂに映像を表示させるための映像ソース選択回路１１ｂをモニタＡ（１）からの映像信号を受信する様に切替える。
【００３２】
上記構成により、モニタＡ（１）において、映像ソース選択回路１１ａ〜１３ａ、ならびに音声ソース選択回路１４ａ〜１６ａは、車両からＣＡＮトランシーバ４３ａを経由してＥＣＵ４４ａによって指示されるそれぞれの出力先からの要求に応じ、ヘッドユニット５、ＤＶＤプレーヤ６、外部入力端子７ならびにモニタＢ（２）経由で入力される衛星ラジオ８の各入力ソースからそれぞれ独立に指定された入力ソースを選択し、その映像、および音声信号をそれぞれの出力先に出力する。
【００３３】
具体的に、２列目の搭乗者によるリモコンＡ（９）の操作により、モニタＡ（１）がＤＶＤプレーヤ６の出力を要求された場合、映像ソース選択回路１１ａは、ＤＶＤプレーヤ６を入力ソースとして選択し、その映像信号が映像表示回路１７ａにおいて処理され、ＬＣＤ１８ａに画像として表示される。
また、音声入力ソース選択回路１４ａもＤＶＤプレーヤ６を選択し、その音声信号から、CH1変調回路２１ａによりCH1 IR用に変調された副搬送波が生成され、CH1 IR ＬＥＤ駆動回路２３ａによりCH1 IR ＬＥＤ２４ａが駆動されてCH1 IRが送信される。
【００３４】
このとき、搭乗者がヘッドホンＡ（３）によりCH1を選択していれば、モニタＡ（１）の画面に合わせてＤＶＤプレーヤ６による再生音声を聴くことができる。また、このCH1用に変調された副搬送波出力は、CH1出力バッファ回路４１ａを介してモニタＢ（２）内におけるCH1 IR ＬＥＤ駆動回路２３ｂにも供給されているため、CH1 IR ＬＥＤ２４ｂが駆動される。このため、ヘッドホンＢ（４）がCH1を選択していれば、３列目の搭乗者もモニタＢ（２）が選択している入力ソースに係わらずＤＶＤプレーヤ６の再生音声を聴くことができる。
【００３５】
また、例えば、モニタＢ（２）が外部入力端子７の出力を要求した場合、モニタＡ（１）の映像ソース選択回路１２ａは外部入力端子７を選択し、その映像信号はモニタＢ（２）の映像ソース選択回路１１ｂに入力される。
モニタＢ（２）の映像ソース選択回路１１ｂはモニタＡ（１）からの信号を選択し、その映像信号が映像表示回路１７ｂにおいて処理され、ＬＣＤ１８ｂに画像として表示される。同時に、モニタＡ（１）の音声入力ソース選択回路１５ａも外部入力端子７を選択し、その音声信号から、CH2変調回路２５ａによりCH2 IR用に変調された副搬送波が生成され、CH2 IR ＬＥＤ駆動回路２７ａにより、ＬＥＤ２８ａが駆動され、CH2 IRが送信される。
【００３６】
また、このCH2 IR用に変調された副搬送波出力は、CH2出力バッファ回路４２ａを介してモニタＢ（２）内のCH2 IR ＬＥＤ駆動回路２７ｂにも入力され、CH2 IR ＬＥＤ２８ｂを駆動する。このとき、ヘッドホンＢ（４）がCH2を選択していれば、モニタＢ（２）の画面にあわせて外部入力端子７の音声を聴くことができる。また、ヘッドホンＡ（３）がCH2を選択していれば、２列目の搭乗者もモニタＡ（１）が選択している入力ソースに係わらず外部入力端子７からの音声を聴くことができる。
【００３７】
以上説明のように、この発明の実施の形態１に係る赤外線音声伝送装置によれば、ＩＲを用いて音声信号を伝送する、例えば、ＲＥＳにおいて、内部で生成した副搬送波を音声信号で変調し、この変調された副搬送波でＩＲを輝度変調して送信する第１の送信手段（図２−２を例示すれば、CH1変調回路２１ｂ、CH1音声切換回路３９ｂ、CH1 IR ＬＥＤ駆動回路２３ｂ）と、外部から電気的に供給された他の変調済みの副搬送波でＩＲを輝度変調して送信する第２の送信手段（図２−２を例示すれば、CH2変調回路２５ｂ、CH2音声切換回路４０ｂ、CH2 IR ＬＥＤ駆動回路２７ｂ）と、を備え、モニタＡ（Ｂ）の装着状態にしたがい、切替え手段（図２−２を例示すれば、装着状態検知端子４５ｂ、ＥＣＵ４４ｂにより切替え制御されるCH1／CH2音声切換回路３９ｂ／４０ｂ）により、第１と第２の送信手段とを使い分けることができる。
【００３８】
このように、車両の２列目、３列目に、同一構成のモニタを使用して使い分けることにより、製品の品種増加や車両への誤装着を防ぐことができる。また、当初１台だけ装着しておき、後日追加で１台拡張して装着するような場合にも製品の仕様を吟味する必要なく、同一製品を買い増して装着するだけで、特段の配慮を要することなく使用することのできる赤外線音声伝送装置を提供することができる。
【００３９】
また、運転席と助手席のシート列（１列目）以外に、搭乗者用に、例えば、２列のシートを持つ車両において、２列目、３列目のシートに着座した搭乗者に対応して２台のモニタが装着される場合、２列目のモニタで生成される音声信号で変調された副搬送波でＩＲを輝度変調して送信し、同時にこの変調された副搬送波を電気信号として３列目のモニタへ転送し、３列目のモニタからもこの信号を輝度変調してＩＲとして送信することにより、両モニタから同相のＩＲ信号が送信され、このことにより、各ＩＲ信号が相互に干渉することなく、それぞれの座席の搭乗者に十分な強度のＩＲを伝送することができ、このとき、搭乗者は、良好な品質で音声を聴取することができる。
【００４０】
なお、上記したこの発明の実施の形態１に係る赤外線音声伝送装置によれば、モニタＡ（１）、モニタＢ（２）の装着状況について、装着位置検知端子４５ａ、４５ｂがオープン状態になっているか、接地状態になっているかをＥＣＵ４４ａ、４４ｂが判定することにより、内部で生成した副搬送波を音声信号で変調してこれをＩＲに載せて送信するか、他のモニタで生成された音声信号で変調された副搬送波を電気的に受けてこれをＩＲに載せて送信するかを切替え制御する構成としたが、モニタA（１）とモニタＢ（２）の装着状態を、装着位置検知端子４５ａ、４５ｂが示す状態によらず、運転者を含む搭乗者によるボタンの手動入力により設定し、ＥＣＵ４４ａ、４４ｂがこれを読み出して切替え制御してもよい。これは、３以上のモニタを組み合わせて使用する場合に好適である。
【００４１】
実施の形態２．
図３−１、図３−２は、この発明の実施の形態２に係る赤外線音声伝送装置の内部構成を示すブロック図であり、図３−１は、図１に示すモニタＡ（１）、図３−２は、図１に示すモニタＢ（２）の内部構成を示す。
この実施の形態２において、図２−１、図２−２に示す実施の形態１との差異は、実施の形態１では、モニタＡ（１）からの変調済みの副搬送波を電気信号として有線でモニタＢ（２）へ伝送する例を示したが、ここでは、他のモニタから出力される変調済みの副搬送波もＩＲで受信する構成としたことにある。
【００４２】
具体的に、この発明の実施の形態２に係る赤外線音声伝送装置は、図３−１、図３−２に示されるように、図２−１、図２−２に示した実施の形態１が有する構成に、CH1 ＢＰＦ（Band Pass Filter）回路４８ａ、４８ｂと、CH2 ＢＰＦ回路４９ａ、４９ｂと、IR受信回路５０ａ、５０ｂと、IR増幅回路５１ａ、５１ｂと、を付加する構成とした。
上記構成において、モニタＡ（１）から出力されるCH1 IR、CH2 IRを、モニタＢ（２）のIR受信回路５０ｂで直接受信することにより電気信号に変換し、IR増幅回路５１ｂで増幅し、CH1 ＢＰＦ回路４８ｂとCH2 ＢＰＦ回路４９ｂで、CH1とCH2を分離し、ここで分離された音声信号のそれぞれを、CH1音声切替え回路３９ｂ、CH2音声切替え回路４０ｂに供給する。したがって、この、CH1音声切替え回路３９ｂ、CH2音声切替え回路４０ｂを、ＥＣＵバス経由で到来するモニタＢ（２）の装着状態を示す信号で切替えることにより、CH1 IR ＬＥＤ２４ｂ、あるいはCH2 IR ＬＥＤ２８ｂを駆動することができる。
【００４３】
上記したこの発明の実施の形態２に係る赤外線音声伝送装置によれば、CH1 IR ＬＥＤ駆動回路２３ｂ、あるいはCH2 IR ＬＥＤ駆動回路２７ｂを介して、CH1 IR ＬＥＤ２４ｂ、あるいはCH2 IR ＬＥＤ２８ｂを駆動することができ、このため、車両の２列目、３列目に、同一構成のモニタを使用して使い分けることにより、製品の品種増加や車両への誤装着を防ぐことができる実施の形態１が有する効果に加え、モニタＡ（１）とモニタＢ（２）間の接続線数を減少させることができ、車両等への実装形態のコンパクト化がはかれるとともに、誤装着の頻度を極力減らすことができる。
【００４４】
実施の形態３．
図４−１、図４−２は、この発明の実施の形態３に係る赤外線音声伝送装置の内部構成を示すブロック図であり、図４−１は、図１に示す実施の形態１に係る赤外線音声伝送システムのモニタＡ（１）、図４−２は、モニタＢ（２）の内部構成を示す。
この実施の形態３において、図３−１、図３−２に示す実施の形態２に係る赤外線音声伝送装置との構成上の差異は、実施の形態２は、他のモニタから出力される音声用の変調済み副搬送波も赤外線で受信する構成としたが、ここでは、更に、映像信号についても映像用の副搬送波で変調し、映像信号についてもＩＲとして送信する構成としたことにある。
【００４５】
具体的には、この発明の実施の形態３に係る赤外線音声伝送装置は、図４−１、図４−２に示されるように、図３−１、図３−２の実施の形態２が有する構成に、映像用（Video）ＢＰＦ回路５２ａ、５２ｂと、映像信号復調回路５５ａ、５５ｂと、映像入力切換スイッチ５６ａ、５６ｂと、映像変調回路５７ａ、５７ｂと、映像IR ＬＥＤ駆動回路５８ａ、５８ｂと、映像IR ＬＥＤ５９ａ、５９ｂと、を付加する構成としたことにある。
【００４６】
上記構成において、モニタＡ（１）からモニタＢ（２）へ出力する映像信号を映像変調回路５７ａに入力して映像用副搬送波を変調し、映像IR ＬＥＤ駆動回路５８ａにより映像IR ＬＥＤ５９ａを駆動することにより、映像信号もＩＲとして送信することができる。これをモニタＢ（２）のIR受信回路５０が受信してIR増幅回路５１ｂで増幅し、Video ＢＰＦ回路５２ｂで映像用副搬送波のみ取り出して映像信号復調回路５５ｂで元の映像信号に復調し、映像入力切換スイッチ５６ｂを介して映像表示回路１７ｂへ入力すればＬＣＤ１８ｂにモニタＡ（１）からの映像を表示することができる。
【００４７】
上記したこの発明の実施の形態３に係る赤外線音声伝送装置によれば、内部で生成される副搬送波を映像信号で変調して赤外線送信する第３の送信手段（図４−１を例示すれば、Video ＢＰＦ回路５２ａと、映像入力切換スイッチ５６ａと、映像変調回路５７ａと、映像IR ＬＥＤ駆動回路５８ａと、映像IR ＬＥＤ５９ａ）を備えることにより、実施の形態１、２が有する効果に加え、モニタＡ（１）とモニタＢ（２）との間の接続線数が減少し、ほとんどの接続を赤外光による無線で実現することができるため、車両等への実装形態の一層のコンパクト化がはかれるとともに、誤装着の頻度を極力減らすことができる。
【００４８】
なお、上記したこの発明の実施の形態１、２、３によれば、モニタＡ（１）を単独で使用する他、モニタＡ（１）とモニタＢ（２）の２つのモニタを組み合わせて使用する場合について説明したが、２以上のモニタの組み合わせについても同様に可能である。
また、上記したこの発明の実施の形態１、２、３によれば、赤外線音声伝送装置およびシステムをＲＥＳに適用した場合のみ例示して説明したが、他に、ＬＡＮ（Local Area Network）や音響サーバを用いて管理する家庭用音響機器等においても同様に応用が可能である。更に、赤外線に限らず、無線ＬＡＮやブルートゥース等の近距離無線を用いて音声信号を伝送する全ての製品に応用が可能である。
【図面の簡単な説明】
【００４９】
【図１】この発明の実施の形態１に係る赤外線音声伝送システムのシステム構成を示すブロック図である。
【図２−１】この発明の実施の形態１に係る赤外線音声伝送装置（モニタＡ）の内部構成を示すブロック図である。
【図２−２】この発明の実施の形態１に係る赤外線音声伝送装置（モニタＢ）の内部構成を示すブロック図である。
【図３−１】この発明の実施の形態２に係る赤外線音声伝送装置（モニタＡ）の内部構成を示すブロック図である。
【図３−２】この発明の実施の形態３に係る赤外線音声伝送装置（モニタＢ）の内部構成を示すブロック図である。
【図４−１】この発明の実施の形態３に係る赤外線音声伝送装置（モニタＡ）の内部構成を示すブロック図である。
【図４−２】この発明の実施の形態３に係る赤外線音声伝送装置（モニタＢ）の内部構成を示すブロック図である。
【符号の説明】
【００５０】
１  モニタＡ（赤外線音声伝送装置）、２  モニタＢ（赤外線音声伝送装置）、３  ヘッドホンＡ、４  ヘッドホンＢ、５  ヘッドユニット、６  ＤＶＤプレーヤ、７  外部入力端子、８  衛星ラジオ、９  リモコンＡ、１０  リモコンＢ、１１ａ、１１ｂ、１２ａ、１２ｂ、１３ａ、１３ｂ  映像ソース選択回路、１４ａ、１４ｂ、１５ａ、１５ｂ、１６ａ、１６ｂ  音声入力ソース選択回路、１７ａ、１７ｂ  映像表示回路、１８ａ、１８ｂ  ＬＣＤ、２１ａ、２１ｂ  CH1変調回路、２３ａ、２３ｂ  CH1 IR ＬＥＤ駆動回路、２４ａ、２４ｂ  CH1 IR ＬＥＤ、２５ａ、２５ｂ  CH2変調回路、２７ａ、２７ｂ  CH2 IR ＬＥＤ駆動回路、２８ａ、２８ｂ  CH2 IR ＬＥＤ、３９ａ、３９ｂ  CH1音声切替え回路、４０ａ、４０ｂ  CH2音声切替え回路、４１ａ、４１ｂ  CH1出力バッファ回路、４２ａ、４２ｂ  CH2出力バッファ回路、４３ａ、４３ｂ  ＣＡＮトランシーバ、４４ａ、４４ｂ  ＥＣＵ、４５ａ、４５ｂ  装着位置検知端子、４７ａ、４７ｂ  リコン受信回路、４８ａ、４８ｂ  CH1 ＢＰＦ回路、４９ａ、４９ｂ  CH2 ＢＰＦ回路、５０ａ、５０ｂ  IR受信回路、５１ａ、５１ｂ  IR増幅回路、５２ａ、５２ｂ  Video ＢＰＦ回路、５５ａ、５５ｂ  映像信号復調回路、５６ａ、５６ｂ  映像入力切換スイッチ、５７ａ、５７ｂ  映像変調回路、５８ａ、５８ｂ  映像IR ＬＥＤ駆動回路、５９ａ、５９ｂ  映像IR ＬＥＤ。
【図１】
0004874222.tif 000002
【図２−１】
0004874222.tif 000003
【図２−２】
0004874222.tif 000004
【図３−１】
0004874222.tif 000005
【図３−２】
0004874222.tif 000006
【図４−１】
0004874222.tif 000007
【図４−２】
0004874222.tif 000008